【手続補正書】
【提出日】平成16年10月22日(2004.10.22)
【手続補正１】
【補正対象書類名】明細書
【補正対象項目名】特許請求の範囲
【補正方法】変更
【補正の内容】
【特許請求の範囲】
【請求項１】
情報処理装置と、この情報処理装置を立ち上げて使用する際の暗号化された認証情報を格納した上記情報処理装置と分離可能な記憶デバイスとを備えた情報処理装置のセキュリティシステムに於いて、
上記情報処理装置は、
上記記憶デバイスと上記情報処理装置とを接続し上記記憶デバイスに格納された情報を読み込む記憶デバイスインターフェース手段と、
この記憶デバイスインターフェース手段から読み込んだ暗号化された認証情報を復号する復号化手段と、
この復号された認証情報と情報処理装置を立ち上げる際に入力された認証情報とが一致するかどうかを判定する認証手段とを設け、
この認証手段が上記復号された認証情報と上記入力された認証情報とが一致しないと判定した場合または上記記憶デバイスに認証情報が格納されていなかった場合に上記情報処理装置の立ち上げ処理を中断または中止することを特徴とする情報処理装置のセキュリティシステム。
【請求項２】
上記情報処理装置の立ち上げ処理を中断または中止することは、上記情報処理の電源遮断処理であることを特徴とする請求項１記載の情報処理装置のセキュリティシステム。
【請求項３】
情報処理装置と、この情報処理装置を立ち上げて使用する際の暗号化された認証情報を格納した上記情報処理装置と分離可能な記憶デバイスとを備えた情報処理装置のセキュリティシステムに於いて、
上記情報処理装置は、
この情報処理装置の立ち上げ処理に使用するプログラム情報を格納するメモリと、
上記記憶デバイスと上記情報処理装置とを接続し上記記憶デバイスに格納された情報を読み込む記憶デバイスインターフェース手段と、
この記憶デバイスインターフェース手段から読み込んだ暗号化された認証情報を復号する復号化手段と、
この復号された認証情報と情報処理装置を立ち上げる際に入力された認証情報とが一致するかどうかを判定する認証手段とを設け、
上記プログラム情報の任意のアドレスとこのアドレスに対応する命令を携帯情報機器が立ち上がる正しい命令に変えて上記携帯情報機器の立ち上げ処理を中断または中止する命令に予め変更しておき、
上記記憶デバイスには、上記プログラム情報の命令を変更したアドレスとこのアドレスに対応して変更した命令を上記携帯情報機器が立ち上がる正しい命令に暗号化して格納しておき、
上記復号された認証情報と上記入力された認証情報とが一致した場合上記メモリのプログラムの変更した命令を上記復号化手段にて複合した上記記憶デバイスに格納した正しい命令に変更することを特徴とする情報処理装置のセキュリティシステム。
【請求項４】
情報処理装置と、この情報処理装置を立ち上げて使用する際の暗号化された認証情報を格納する上記情報処理装置と分離可能な記憶デバイスと上記情報処理装置と通信網により接続され上記認証情報を作成転送するホスト計算機を備えた情報処理装置のセキュリティシステムに於いて、
上記情報処理装置は、
この情報処理装置の立ち上げ処理に使用するプログラム情報を格納するメモリと、
上記記憶デバイスと上記情報処理装置とを接続し上記記憶デバイスに格納された情報を読み込む記憶デバイスインターフェース手段と、
この記憶デバイスインターフェース手段から読み込んだ暗号化された認証情報を復号する復号化手段と、
この復号された認証情報と情報処理装置を立ち上げる際に入力された認証情報とが一致するかどうかを判定する認証手段と、
上記ホスト計算機と上記通信網を介して情報を送受信する通信手段とを設け、
上記ホスト計算機は、
上記認証情報を作成する認証情報作成手段と、
上記作成した認証情報またはその他の情報を暗号化する暗号化手段と、
上記暗号化した認証情報を格納する記憶手段と、
上記情報処理装置と上記通信網を介して情報を送受信する通信手段とを設け、
上記ホスト計算機は、上記暗号化した認証情報と上記プログラム情報の任意のアドレスとこのアドレスに対応する命令を情報処理装置が立ち上がる正しい命令に変えて上記情報処理装置の立ち上げ処理を中断または中止する命令に変更したプログラムを上記情報処理装置に送信し、
上記情報処理装置は、上記記憶デバイスインターフェース手段により上記記憶デバイスに上記ホスト計算機より送信された暗号化した認証情報と上記プログラム情報の命令を変更したアドレスとこのアドレスに対応して変更した命令を上記情報処理装置が立ち上がる正しい命令に暗号化して格納しておき、
上記メモリには、上記ホスト計算機から送信された変更されたプログラム情報を格納しておき、
認証情報作成後上記復号された認証情報と上記入力された認証情報とが一致した場合上記メモリのプログラム情報の変更した命令を上記復号化手段にて複合した上記記憶デバイスに格納した正しい命令に変更することを特徴とする情報処理装置のセキュリティシステム。
【請求項５】
情報処理装置と、この情報処理装置を立ち上げて使用する際の暗号化された認証情報を格納した上記情報処理装置と分離可能な記憶デバイスとを備えた情報処理装置に於いて、
上記情報処理装置は、
上記記憶デバイスと上記情報処理装置とを接続し上記記憶デバイスに格納された情報を読み込む記憶デバイスインターフェース手段と、
この記憶デバイスインターフェース手段から読み込んだ暗号化された認証情報を復号する復号化手段とを有し、
この復号された認証情報と情報処理装置を立ち上げる際に入力された認証情報とが一致するかどうかを判定し、
上記復号された認証情報と上記入力された認証情報とが一致しないと判定した場合または上記記憶デバイスに認証情報が格納されていなかった場合に上記情報処理装置の立ち上げ処理を中断または中止することを特徴とする情報処理装置に於けるセキュリティ方法。
【請求項６】
情報処理装置と、この情報処理装置を立ち上げて使用する際の暗号化された認証情報を格納した上記情報処理装置と分離可能な記憶デバイスとを備えた情報処理装置に於いて、
上記情報処理装置は、
この情報処理装置の立ち上げ処理に使用するプログラム情報を格納するメモリと、
上記記憶デバイスと上記情報処理装置とを接続し上記記憶デバイスに格納された情報を読み込む記憶デバイスインターフェース手段と、
この記憶デバイスインターフェース手段から読み込んだ暗号化された認証情報を復号する復号化手段とを設け、
上記プログラム情報の任意のアドレスとこのアドレスに対応する命令を情報処理装置が立ち上がる正しい命令に変えて上記情報処理装置の立ち上げ処理を中断または中止する命令に予め変更しておき、
上記記憶デバイスには、上記プログラムの命令を変更したアドレスとこのアドレスに対応して変更した命令を上記情報処理装置が立ち上がる正しい命令に暗号化して格納しておき、
上記復号された認証情報と情報処理装置を立ち上げる際に入力された認証情報とが一致するかどうかを判定し、
上記復号された認証情報と上記入力された認証情報とが一致した場合上記メモリのプログラムの変更した命令を上記復号化手段にて複合した上記記憶デバイスに格納した正しい命令に変更することを特徴とする情報処理装置に於けるセキュリティ方法。
【請求項７】
上記メモリは、バッテリバックアップが必要なメモリとし、
上記復号された認証情報と上記入力された認証情報とが一致した場合バッテリバックアップを必要としない他のメモリへ上記メモリに格納した上記情報処理装置の立ち上げ処理を中断または中止する命令を組み込んだプログラムを転送可能とし、
紛失等による一定時間の経過後は上記プログラムを消去することを特徴とする請求項６に記載の情報処理装置に於けるセキュリティ方法。
【請求項８】
情報処理装置と、この情報処理装置を立ち上げて使用する際の暗号化された認証情報を格納する上記情報処理装置と分離可能な記憶デバイスと上記情報処理装置と通信網により接続され上記認証情報を作成転送するホスト計算機を備えた情報処理装置のセキュリティシステムに於いて、
上記情報処理装置は、
この情報処理装置の立ち上げ処理に使用するプログラム情報を格納するメモリと、
上記記憶デバイスと上記情報処理装置とを接続し上記記憶デバイスに格納された情報を読み込む記憶デバイスインターフェース手段とを有し、
この記憶デバイスインターフェース手段から読み込んだ暗号化された認証情報を復号し、
この復号された認証情報と情報処理装置を立ち上げる際に入力された認証情報とが一致するかどうかを判定し、
上記ホスト計算機と上記通信網を介して情報を送受信するようにし、
上記ホスト計算機は、
上記認証情報を作成し、
この作成した認証情報またはその他の情報を暗号化し、
この暗号化した認証情報を格納して、
上記情報処理装置と上記通信網を介して情報を送受信するようにし、
上記ホスト計算機は、上記暗号化した認証情報と上記プログラム情報の任意のアドレスとこのアドレスに対応する命令を情報処理装置が立ち上がる正しい命令に変えて上記情報処理装置の立ち上げ処理を中断または中止する命令に変更したプログラムを上記情報処理装置に送信し、
上記情報処理装置は、上記記憶デバイスインターフェース手段により上記記憶デバイスに上記ホスト計算機より送信された暗号化した認証情報と上記プログラム情報の命令を変更したアドレスとこのアドレスに対応して変更した命令を上記情報処理装置が立ち上がる正しい命令に暗号化して格納しておき、
上記メモリには、上記ホスト計算機から送信された変更されたプログラム情報を格納しておき、
認証情報作成後上記復号された認証情報と上記入力された認証情報とが一致した場合上記メモリのプログラム情報の変更した命令を上記復号化手段にて複合した上記記憶デバイスに格納した正しい命令に変更することを特徴とする情報処理装置に於けるセキュリティ方法。